(57)【特許請求の範囲】
【請求項１】
吸引装置によって吸引されている髪をカットするための装置であって、
該装置が、髪を吸引する髪吸引部と、
該髪吸引部に髪を案内する髪ガイド部と、
該髪ガイド部と前記髪吸引部との間に設けられた、両者の間に配置された髪を切断する鋏と、
該鋏における一方の刃の基端部を作動させて、該鋏を開閉させるカット作動部と、
前記髪吸引部と前記髪ガイド部との間に吸引されている髪に、事前処理液を噴射する事前処理液噴射部とからなり、
該事前処理液噴射部が、
前記髪吸引部と前記髪ガイド部との間に吸引されている髪に、事前処理液を噴射する噴射ノズルと、
該噴射ノズルに対して、貯水タンク内の事前処理液を供給するポンプと、
前記鋏の下方に設けられた受水皿と、
該受水皿と前記貯水タンクとを連結する戻水チューブとを備えている
ことを特徴とする髪カッティング装置。
【発明の詳細な説明】
【０００１】
【発明の属する技術分野】
本発明は、髪カッティング装置に関する。
【０００２】
【従来の技術】
髪を思いどおりの長さにカットするには熟練の技能が必要である。髪をテーツコーム等のくしですくい上げ、指間で挟み、目分量で所望の長さにカットしようとしても、髪は生えている場所から頭の曲面に沿って垂れており、髪に均一なテンションを加えるのは難しく、素人や未熟者が髪をカットすると髪の長さがチグハグになる上に時間がかかる。
そこで従来より、髪を吸引して伸ばし、伸ばされた髪をカッティングする装置が開発されており、実開平７−３０９７３号公報（従来例１）および実開平６−３４９号公報（従来例２）に開示されている。これら従来例１、２の装置は、吸引装置および電動式のバリカンを備えており、吸引装置によって吸引されて伸ばされている髪を、バリカンで所望の長さでカットすることができる。また、カットされた髪片を吸引装置で吸引することができるので、衛生的であり、片付けが簡単である。
【０００３】
【発明が解決しようとする課題】
しかるに、従来の髪カッティング装置には以下の（ｉ）〜（iv）の問題がある。
（ｉ）従来の髪カッティング装置の場合、髪はバリカンによってカットされる。バリカンは震動しながら髪をカットするので、バリカンでカットされた髪の切断面は平担でなく凸凹となり面積が広くなってしまい、カット後の髪に例えば毛染液やパーマ液等の薬液を塗布する後処理を行った場合、薬液が髪の表皮からだけでなく髪の先端の切断面からも髪の内部に浸透するので、枝毛や切れ毛の原因となり、所望のヘアスタイルに仕上ることが難しい。
（ii）バリカンによって髪をカットした場合、バリカンを当てた部分の髪は全てカットされてしまうから、髪をすきながらカットするセニング（すき切り）ができない。バリカンでカットできるヘアスタイルは限られており、例えばスポーツ刈りや刈り上げスタイル等にしか仕上げることができない。ヘアスタイルについてのユーザーニーズは多様化しているので、バリカンのみでは多種多様なヘアスタイルに仕上げることができない。
(iii）従来の髪カッティング装置で髪をカットした場合、髪は必ずしも直角にカットされるとは限らない。髪を斜めにカットした場合、髪の切断面が広くなり、薬液が浸透しやすくなり、枝毛や切れ毛になる本数が多くなってしまう。
（iv）従来の髪カッティング装置は、操作性、安全性および経済性についていずれも十分であるとは云えず、操作しやすく安全で経済的な髪カッティング装置のニーズは高い。
【０００４】
本発明はかかる事情に鑑み、カット後の後処理で髪を処理しやすく、所望のヘアスタイルに容易に仕上げることができ、髪が枝毛になる部分を最小に抑えることができ、操作しやすく安全で、経済的で衛生的で片付けが簡単にできる髪カッティング装置を提供することを目的とする。
【０００５】
【課題を解決するための手段】
請求項１の髪カッティング装置は、吸引装置によって吸引されている髪をカットするための装置であって、該装置が、髪を吸引する髪吸引部と、該髪吸引部に髪を案内する髪ガイド部と、該髪ガイド部と前記髪吸引部との間に設けられた、両者の間に配置された髪を切断する鋏と、該鋏における一方の刃の基端部を作動させて、該鋏を開閉させるカット作動部と、前記髪吸引部と前記髪ガイド部との間に吸引されている髪に、事前処理液を噴射する事前処理液噴射部とからなり、該事前処理液噴射部が、前記髪吸引部と前記髪ガイド部との間に吸引されている髪に、事前処理液を噴射する噴射ノズルと、該噴射ノズルに対して、貯水タンク内の事前処理液を供給するポンプと、前記鋏の下方に設けられた受水皿と、該受水皿と前記貯水タンクとを連結する戻水チューブとを備えていることを特徴とする。
【０００６】
請求項１の発明によれば、カット作動部によって鋏の刃を開閉させれば、吸引装置によって、髪ガイド部と髪吸引部との間に吸引されている髪をカットすることができるから、バリカン等でカットした場合と比較して、髪をシャープにカットでき、髪の切断面を平坦にすることができる。髪の切断面が平坦だと、切断面の面積が狭くなるので、この切断面から毛染液やパーマ液等の薬液が浸透するのを防止でき、枝毛や切れ毛になるのを防止できるから、所望のヘアスタイルに容易に仕上げることができる。しかも、噴射ノズルによって貯水タンク内の事前処理液を、髪ガイド部と髪吸引部との間における髪に向けて噴射し、カットされる前の髪に事前処理液を噴射して髪に水分を与えることができる。このため、カット後の後処理が行いやすくすることができる。しかも、余分な事前処理液を、受水皿で受け止め、戻水チューブで貯水タンクに戻すことができる。貯水タンク内の事前処理液を循環させて使用することができるから、経済的である。
【０００７】
【発明の実施の形態】
つぎに、本発明の実施形態を図面に基づき説明する。
図１は本実施形態の髪カッティング装置の側面図である。図２は本実施形態の髪カッティング装置の正面図である。図９は本実施形態の髪カッティング装置の動作説明図である。図１、図２および図９に示すように、本実施形態の髪カッティング装置は、髪を吸引しながらカットするための装置であり、重量が780 〜800ｇ前後で、大きさが200 mm×170 mm×170 mm程度が好適である。このため、作業者は本実施形態の髪カッティング装置をヘアドライヤを使用するかのごとく、片手で掴んで操作し、髪をカッティングすることができる。
【０００８】
図３は本実施形態の髪カッティング装置の側面断面図である。図１〜図３に示すように、本実施形態の髪カッティング装置は、本体１０、鋏２０、カット作動部３０、事前処理液噴射部４０、髪片吸込部５０および髪ガイド部６０から構成されたものである。
髪片吸込部５０の右側端部は、図示しない掃除機やブロアー等の吸引装置に連結されている。図９に示すように、髪ガイド部６０の頭部フィッター６２をカットしたい人の頭部に当てて、吸引装置で吸引すると、髪が髪ガイド部６０→カバー１３→髪片吸込部５０の各内部を順に通過するので、この髪を鋏２０でカットすることができるのである。
【０００９】
まず、本体１０を説明する。
図１〜図３に示すように、フレーム１１は、アクリル樹脂や塩化ビニル樹脂等の合成樹脂で作られたものであり、作業者が掴むための下部のグリップ部と、モータやカム等の機材を収容するための上部の機材収容部を有している。フレーム１１の機材収容部は、その内部が中空に形成されており、この機材収容部には、鋏２０、カット作動部３０および事前処理液噴射部４０の機材部分が内蔵されている。
このフレーム１１の基部から、電源コード１２が延びており、カット作動部３０および事前処理液噴射部４０の各機材に電力を供給できるようになっている。そして、フレーム１１の上部には、カバー１３がボルトによって着脱自在に取り付けられている。
このカバー１３は合成樹脂製の透明板で作られており、鋏２０のカッティング動作や髪の様子を確認することができる。
【００１０】
つぎに、鋏２０を説明する。
図４は図１のＩＶ-ＩＶ線断面図である。図３および図４（Ａ）に示すように、前記フレーム１１の機材収容部には、鋏２０が配設されている。この鋏２０は、固定刃２１および動作刃２２が、ピン２３で開閉自在に取り付けられたものである。
前記固定刃２１は、その刃先が上向きに配設されており、基端部が前記フレーム１１の適所にボルトによって、着脱自在に固定されている。
この固定刃２１には、動作刃２２がその中央部分を、ピン２３で支持され左右揺動自在に取り付けられている。動作刃２２は、カット作動部３０によって、ピン２３を中心に揺動して、前記固定刃２１と共同してカッティング動作するようになっている。
この鋏２０は、図４(Ｂ)に示すセニング刃21B を備えたセニング用鋏20B や図示しないハイステンレス製鋏、アルミニウム製鋏、鋼鉄製鋏、セラミックス製鋏等、種々の鋏と交換できる。セニング用鋏20B を採択した場合、髪をすいてカットすることができる。このため、セニングカットやシャギー等、種々のヘアスタイルに仕上げることができる。
【００１１】
つぎに、カット作動部３０を説明する。
前記フレーム１１のグリップ部には、カット用スイッチ31S が取り付けられている。このカット用スイッチ31Sは、押すとＯＮ状態となり、離すとＯＦＦ状態となるスイッチである。このカット用スイッチ31S を押すことによって、フレーム１１の機材収容部に内蔵されているカット用モータ３１を駆動させることができる。
【００１２】
このカット用モータ３１の駆動力を前記鋏２０に伝達させる伝達機構を説明する。
前記カット用モータ３１の駆動軸には、ピニオン３２が取り付けられている。このピニオン３２はギヤ３３と噛合している。ギヤ３３はカム３４と同芯に取り付けられており、ギヤ３３およびカム３４はいずれも、水平な回転軸３５を中心に垂直面内で回転自在に設けられている。カム３４の詳細については後述する。
カム３４の周縁部には、リンク棒３６の一端が左右揺動自在に取り付けられている。リンク棒３６の他端は、前記動作刃２２の基端部に左右揺動自在に取り付けられている。このため、カット用モータ３１を駆動させることにより、動作刃２２を、ピン２３を中心にして左右に揺動させカッティング動作させることができる。かかる構成のカット作動部３０によって、鋏２０を自動的にカッティング動作させることができる。
前記リンク棒３６および動作刃２２の間は、ボルトによって着脱自在に取り付けられている。
【００１３】
この鋏２０は、カット用スイッチ31S を押すことによって、カッティング動作するが、カット用スイッチ31S を離すと停止時常開機構７０によって鋏２０は必ず開いた状態で停止する。
【００１４】
そこで、カット作動部３０の停止時常開機構７０を説明する。
図５はカム３４の単体図であって、（Ａ）は正面図、（Ｂ）は側面図である。図６は要部説明図である。図５および図６に示すように、前記カム３４の周端面の一部に、溝部34g が形成されている。この溝部34g は、図６（Ａ）のように、カム３４における溝部34g の反対側の部分カムフォロワ７１の上端部７２に接触するときに、前記鋏２０の動作刃２２が最も開くような位置に形成されている。この溝部34gは、カム３４の全周部の約３０〜４０％程度が好適である。
他方、フレーム１１の機材収容部における適所には、カムフォロワ７１が上下揺動自在に取り付けられている。このカムフォロワ７１は、図示しないバネ等によって常時上向きに付勢されている。このカムフォロワ７１の上端部７２は、前記カム３４の周端面に当接しており、カムフォロワ７１とカム３４とでカム機構を構成している。カムフォロワ７１は図示しないバネ等によって常時上向きに付勢されていても、上端部７２がカム３４の溝部34g 以外の周端面と接触しているときには、図６（Ａ）に示すように下傾しているが、上端部７２がカム３４の溝部34g に接触すると、図６（Ｂ）に示すように、上方に向けて揺動する。
【００１５】
カムフォロワ７１には一方の電極端子７３が固定され、フレーム１１には電極端子７４が固定されており、一対の電極端子７３、７４は接近させて配設されている。一対の電極端子７３、７４は、図６（Ａ）のようにカムフォロワ７１が下傾しているときは離れており、図６（Ｂ）のようにカムフォロワ７１が水平に起立すると接触する。
前記電極端子７３、７４の接触状態、カット用スイッチ31S のＯＮ・ＯＦＦ状態並びにカット用モータ３１の回転状態には、図１０に示す関係がある。
【００１６】
つまり、カット用スイッチ31S を押していれば、電極端子７３、７４の接触・非接触に関係なくカット用モータ３１は回転するから、鋏２０はカッティング動作する。ところが、カット用スイッチ31S を離すと、電極端子７３、７４が接触しているときはカット用モータ３１が回転するが、電極端子７３、７４が非接触のときにはカット用モータ３１は停止する。
したがって、カット用スイッチ31S を離した場合には、カムフォロワ７１の上端部７２がカム３４の溝部34g と当接し、電極端子７３、７４が非接触となる。このため、図６（Ｂ）の状態になるまで、カム３４はカット用モータ３１の駆動により回転する。
よって、かかる構成の停止時常開機構７０によれば、カット用スイッチ31S を離したときには、鋏２０が開いた状態で常に停止する。つまり、鋏２０のカッティング動作が停止するときには、必ず、常に開いた状態で動作刃２２が停止するのである。このため、髪が鋏２０で挟まれて取れなくなるのを防止でき、本実施形態の髪カッティング装置を頭から引き離すことができ、しかも安全であるという効果を奏する。
なお、カット用スイッチ31S を離したときに図６（Ａ）のように、カムフォロワ７１の上端部７２がカム３４における溝部34g の反対側の部分で止まるように、溝部34g の形状やカット用モータ３１の特性に応じて、微調整するとよい。
【００１７】
つぎに、髪片吸込部５０および髪ガイド部６０を説明する。
図１〜図３に示すように、前記本体１０のカバー１３の後開口部および前開口部には、髪片吸込部５０および髪ガイド部６０がそれぞれ気密に設けられている。
【００１８】
まず、髪片吸込部５０を説明する。
前記カバー１３の後開口部には、伸縮筒体５１、テーパ筒体５２、伸縮筒体５３および吸引ノズル取付部５４がその順に取り付けられており、伸縮自在な髪片吸込部５０を構成している。
伸縮筒体５１および伸縮筒体５３は、アクリル樹脂等の合成樹脂製の筒が蛇腹状に形成されたものであり、全方位に屈曲させたり、伸縮させることができる。伸縮筒体５１、５３の間には、テーパ筒体５２が介装されている。
テーパ筒体５２は、アクリル樹脂等の合成樹脂製の筒がテーパ状に形成されており、径が異なる伸縮筒体５１、５３を連結することができる。前記伸縮筒体５３には吸引ノズル取付部５４が取り付けられている。
【００１９】
吸引ノズル取付部５４は、ゴム等の柔らかい素材で作られており、基端より先端が細いテーパ筒状に形成されている。このため、吸引ノズル取付部５４に、家庭用の掃除機やブロア等の吸引装置のノズルを装着することができる。この吸引ノズル取付部５４はテーパ筒状であるから、吸引装置のノズルの径の大小によらず、ノズルを気密に装着できる。
【００２０】
髪片吸込部５０を全方位に屈曲させたり伸縮させることにより、所望の方向および所望の位置に、本実施形態の髪カッティング装置を移動させることができる。
【００２１】
前記カバー１３の後部の内側には、テーパ筒体５５が設けられている。このテーパ筒体５５の大口端は、その外径が前記伸縮筒体５１の外径とほぼ同じ大きさに形成されており、伸縮筒体５１が取付けられている。一方テーパ筒体５５の小口端には、伸縮筒体５６を介して集約ノズル５７が取り付けられている。この集約ノズル５７の前開口部は細長く形成されている。この集約ノズル５７は、その前開口部が鋏２０のカット部分に向けて配設されている。
【００２２】
つぎに、髪ガイド部６０を説明する。
前記カバー１３の前開口部には、伸縮筒体６１の一端が取り付けられている。この伸縮筒体６１は、蛇腹状に形成されており、全方位に屈曲させたり、伸縮させることができる。伸縮筒体６１の他端には、頭部フィッター６２が取り付けられている。頭部フィッター６２は、環状リングであり、先端面が凹状に形成されている。このため、頭部フィッター６２を頭髪にフィットさせやすいのである。
髪ガイド部６０を屈曲させたり伸縮させることにより、所望の位置および所望の角度で、頭部フィッター６２を頭の髪に接触させることができる。
前記カバー１３の前部の内側には、テーパ筒体５６が設けられている。このテーパ筒体５６の大口端は、その外径が前記伸縮筒体６１の外径とほぼ同じ大きさに形成されており、伸縮筒体６１が取付けられている。このテーパ筒体６５の小口端には、伸縮筒体６６を介して集約ノズル６７が取り付けられている。この集約ノズル６７は、その後開口部が鋏２０のカット部分に向けて配設されている。
【００２３】
図７は頭部フィッター６２の拡大断面図である。図２および図７に示すように、頭部フィッター６２の凹状の先端面には、複数の穴62d が間隔をもって形成されている。各穴62d  には、スプリング６３およびベアリングボール６４がクッション機構として埋め込まれている。このため、頭部フィッター６２を頭の髪に当てると、スプリング６３によってベアリングボール６４が穴62d の内部で上下するので、頭部フィッター６２が頭に当たるときの衝撃を和らげることができ、頭にフィットさせやすい。
しかも、ベアリングボール６４を頭の髪に当てたまま回転させ頭部フィッター６２を移動させて、髪をカットすると、髪を全て同じ長さでカットするイーブンカットを行うことができる。このため、イーブンカットによるヘアスタイルに仕上げることができる。
【００２４】
頭部フィッター６２の周面には、複数の通気孔62h が形成されている。この通気孔62h によって、髪ガイド部６０の内部の気圧を適度に抜くことができる。
【００２５】
つぎに、事前処理液噴射部４０を説明する。
図８は事前処理液噴射部４０の説明図である。図１および図８に示すように、前記フレーム１１の後部には、貯水タンク４１が取り付けられている。貯水タンク４１の上部には給水口が形成されており、この給水口には蓋が取り付けられている。このため、貯水タンク４１の給水口から、水やイオン水、マイナスイオン水、酸性水、トリートメント液等の事前処理液を、給水して貯水タンク４１の内部に溜めておくことができる。
【００２６】
前記フレーム１１のグリップ部には、ポンプ用スイッチ43S が取り付けられている。このポンプ用スイッチ43S は、押すとＯＮ状態となり、離すとＯＦＦ状態となるスイッチである。前記貯水タンク４１の下部には、モータ室４２が取り付けられている。モータ室４２の内部には、ポンプ４３が内蔵されている。前記ポンプ用スイッチ43S を押すことによって、ポンプ４３を駆動させることができる。ポンプ４３にはエアチューブ４４の基端が取り付けられており、エアチューブ４４の先端は貯水タンク４１の内部に配設されている。貯水タンク４１の上部には、給水チューブ４５の基端が取り付けられており、給水チューブ４５の先端には噴射ノズル４６が取り付けられている。この噴射ノズル４６は前記鋏２０のカット部分に向けて斜めに配設されている。この噴射ノズル４６は、絞り可変機能を備えたものが好適であり、事前処理液の性質に応じて、広く噴射したり狭く噴射することができる。
このため、ポンプ用スイッチ43S を押してポンプ４３を駆動させることによって、貯水タンク４１に溜められた事前処理液を、噴射ノズル４６から鋏２０のカット部分に向けて噴射させることができる。
【００２７】
そして、カバー１３の内側底面であって鋏２０のカット部分における下方には、受水皿４７が設けられている。この受水皿４７の底面は後方（図中右下方向）に傾斜しており、受水皿４７の最も低い底面と、前記貯水タンク４１との間には、戻水チューブ４８の両端がそれぞれ取り付けられている。
このため、前記噴射ノズル４６から噴射された事前処理液を、受水皿４７で受けて戻水チューブ４８を通して、貯水タンク４１の内部に戻すことができる。よって、貯水タンク４１に溜められた事前処理液を繰り返し使用することができる。
【００２８】
つぎに、本実施形態の髪カッティング装置の作用効果を説明する。
（１）カット作動部３０によって、鋏２０の刃２１、２２を開閉させることによって、図示しない吸引装置で吸引されている髪をカットすることができるから、バリカン等でカットした場合と比較して、髪をシャープにカットでき、髪の切断面を平坦にすることができる。髪の切断面が平坦だと、切断面の面積が狭くなるので、この切断面から毛染液やパーマ液等の薬液が浸透するのを防止でき、枝毛や切れ毛になるのを防止できるから、所望のヘアスタイルに容易に仕上げることができる。
【００２９】
（２）セニング用鋏20B によって、髪をすきながらカットすることができるから、多種多様なヘアスタイルに仕上げることができ、ユーザニーズに応えることができる。
【００３０】
（３）鋏２０を所望の種類や大きさのものに交換できるので、多種多様なヘアスタイルに仕上げることができ、ユーザニーズに応えることができる。
【００３１】
（４）作業者がカット用スイッチ31S をオンにすると伝達機構によってカット用モータ３１の駆動力を鋏２０に伝達し、鋏２０の刃２１、２２を開閉して、髪をカットすることができる。他方、カット用スイッチ31S をオフすると、停止時常開機構７０によって、鋏２０が開いた状態で必ず鋏２０のカッティング動作を停止させることができる。このため、髪が鋏２０で挟まれて取れなくなるのを防止でき、髪カッティング装置を頭から引き離すことができ、しかも安全である。
【００３２】
（５）髪ガイド部６０によって、髪を鋏２０の長手方向に対して直角の方向に案内することができるから、髪をその長手方向に対して直角にカットすることができる。このため、髪の切断面の面積を最小にできるから髪が斜めにカットされる場合と比較して、髪が枝毛になる部分を最小に抑えることができ、毛染液やパーマ液等の薬液が髪に均等に浸透するのを防止でき、枝毛や切れ毛になるのを防止できる。
【００３３】
（６）髪ガイド部６０を伸縮させたり所望の方位に屈曲させて、頭部フィッター６２を頭部に沿って密着させることができるから所望の場所の髪をカットできる。このため、種々のヘアスタイルに仕上げることができる。
【００３４】
（７）スプリング６３およびベアリングボール６４から構成されるクッション機構によって、頭部フィッター６２が頭に当たるときの衝撃を和らげることができる。しかも、ベアリング６４を頭の髪に当てたまま回転させ頭部フィッター６２を移動させて、髪をカットすると、髪を全て同じ長さでカットするイーブンカットを行うことができる。このため、イーブンカットによるヘアスタイルに仕上げることができる。
【００３５】
（８）髪片吸込部５０を伸縮させたり所望の方位に屈曲させることができるので、所望の場所の髪を吸引してカットすることができる。
【００３６】
（９）事前処理液噴射部４０によって、カットされる前の髪に事前処理液を噴射して髪に水分を与えることができる。このため、カット後の後処理が行いやすくすることができる。
【００３７】
（１０）噴射ノズル４６によって貯水タンク４１内の事前処理液を、鋏２０の刃２１と刃２２の間における髪に向けて噴射し、余分な事前処理液を、受水皿４７で受け止め、戻水チューブ４８で貯水タンク４１に戻すことができる。貯水タンク４１内の事前処理液を循環させて使用することができるから、経済的である。
【００３８】
（１１）カバー１３が透明なので、鋏２０でカットされる髪の周辺部分を見ることができるので、髪のカット位置やカット量並びに鋏等の機材の故障箇所を確認しやすく、操作しやすく安全である。
【００３９】
【発明の効果】
請求項１の発明によれば、カット作動部によって鋏の刃を開閉させれば、吸引装置によって、髪ガイド部と髪吸引部との間に吸引されている髪をカットすることができるから、バリカン等でカットした場合と比較して、髪をシャープにカットでき、髪の切断面を平坦にすることができる。髪の切断面が平坦だと、切断面の面積が狭くなるので、この切断面から毛染液やパーマ液等の薬液が浸透するのを防止でき、枝毛や切れ毛になるのを防止できるから、所望のヘアスタイルに容易に仕上げることができる。しかも、噴射ノズルによって貯水タンク内の事前処理液を、髪ガイド部と髪吸引部との間における髪に向けて噴射し、カットされる前の髪に事前処理液を噴射して髪に水分を与えることができる。このため、カット後の後処理が行いやすくすることができる。しかも、余分な事前処理液を、受水皿で受け止め、戻水チューブで貯水タンクに戻すことができる。貯水タンク内の事前処理液を循環させて使用することができるから、経済的である。
【図面の簡単な説明】
【図１】本実施形態の髪カッティング装置の側面図である。
【図２】本実施形態の髪カッティング装置の正面図である。
【図３】本実施形態の髪カッティング装置の側面断面図である。
【図４】図１のＩＶ−ＩＶ線断面図である。
【図５】カム３４の単体図であって、（Ａ）は正面図、（Ｂ）は側面図である。
【図６】要部説明図である。
【図７】頭部フィッター６２の拡大断面図である。
【図８】事前処理液噴射部４０の説明図である。
【図９】本実施形態の髪カッティング装置の動作説明図である。
【図１０】電極端子７３、７４の接触状態、カット用スイッチ31S のＯＮ・ＯＦＦ状態並びにカット用モータ３１の回転状態の関係図である。
【符号の説明】
１０  本体
１３  カバー
２０  鋏
２１  固定刃
２２  動作刃
３０  カット作動部
３１  カット用モータ
31S   カット用スイッチ
３４  カム
34g   溝部
４０  事前処理液噴射部
４１  貯水タンク
４３  ポンプ
４６  噴射ノズル
４７  受水皿
４８  戻水チューブ
５０  髪片吸込部
６０  髪ガイド部
６２  頭部フィッター
７０  停止時常開機構
【図１】
0003605594.tif 000002
【図２】
0003605594.tif 000003
【図３】
0003605594.tif 000004
【図４】
0003605594.tif 000005
【図５】
0003605594.tif 000006
【図６】
0003605594.tif 000007
【図７】
0003605594.tif 000008
【図８】
0003605594.tif 000009
【図９】
0003605594.tif 000010
【図１０】
0003605594.tif 000011